(57)【要約】【課題】モジュラプラグの差し込み及び抜き取りがし易い床取付型情報コンセントを提供する。【解決手段】床の開口から出入りするようにコンセント本体２が備えられた床取付情報コンセントにおいて、コンセント本体２の前表面２ｃの上端部にはフロアプレート１に係止して収納状態を保持する係止凹部２８が設けられており、前表面２ｃにおける係止凹部２８よりも下側においては凹段部４ａが設けられており、凹段部４ａの内底面４ｂは露出状態において前表面２ｃよりも緩く傾斜しており、内低面４ｂに直交してプラグ挿入口２０ａが設けられている。【選択図】図１
2008098015.tif 000002
【特許請求の範囲】
【請求項１】
床の開口に取り付けられ前記開口と連通する開口部が設けられた枠体と、モジュラプラグが挿入されるプラグ挿入口を前表面に有するコネクタ部と、枠体の開口部からコネクタ部のプラグ挿入口を床の表面側に露出させる露出状態とコネクタ部を床の裏面側に収納する収納状態とを選択自在として枠体に取り付けられた可動部とを備える床取付型情報コンセントにおいて、
コネクタ部の前表面の上端部には枠体に係止して収納状態を保持する係止部が設けられており、前記前表面における係止部よりも下側においては凹段部が設けられており、凹段部の内底面は露出状態において前記前表面よりも緩く傾斜しており、前記内低面に直交してプラグ挿入口が設けられていることを特徴とする床取付型情報コンセント。
【請求項２】
コネクタ部は外殻部と外殻部に挿入されたコネクタブロックとで構成されており、前記前表面の一部であるコネクタブロックの前面に前記凹段部が設けられていることを特徴とする請求項１記載の床取付型情報コンセント。
【発明の詳細な説明】
【技術分野】
【０００１】
本願発明は、床取付型情報コンセントに関するものである。
【背景技術】
【０００２】
従来から、知られている床取付型情報コンセントとしては、特開２００２−１６４１２９号公報（特許文献１）に示されるようなものがある。この床取付型情報コンセントは、図１７に示すように、床の開口に取り付けられた枠体５１の開口部から出入りするコンセント本体５２があって、このコンセント本体５２の前表面５３に直交して、モジュラプラグが挿入されるプラグ挿入口５４が設けられている。
【０００３】
したがって、この床取付型情報コンセントの使用時においては、床の裏面側に収納されたコンセント本体５２を枠体５１の開口部から露出させた状態で、モジュラプラグをプラグ挿入口５４に差し込み、又、使用後においては、プラグ挿入口５４からモジュラプラグを抜き取り、再び床の裏面側にコンセント本体５２を収納する。
【０００４】
なお、モジュラプラグ（不図示）の弾性レバーが収まるレバー収納部５５は、プラグ挿入口における下側に設けられており、弾性レバーを下向きの状態にしてモジュラプラグを取り付けることで、誤ってモジュラプラグを踏んでしまう場合等に備えて、比較的壊れやすい弾性レバーを保護している。
【特許文献１】特開２００２−１６４１２９号公報
【発明の開示】
【発明が解決しようとする課題】
【０００５】
しかしながら、上記従来例である床取付型情報コンセントにあっては、露出状態においてコンセント本体５２の前表面５３の傾きが比較的急であるため、枠体５１が邪魔になってモジュラプラグの差し込み及び抜き取りがし難くいという問題が生じていた。特に、図１７に示す床取付情報コンセントにおいては、レバー収納部５５が下側にあるため、弾性レバーを抑えた指が枠体５１に接触して、よりモジュラプラグの差し込み及び抜き取りがし難くなる。
【０００６】
本願発明は、上記背景技術に鑑みて発明されたものであり、その課題は、モジュラプラグの差し込み及び抜き取りがし易い床取付型情報コンセントを提供することである。
【課題を解決するための手段】
【０００７】
上記課題を解決するために、本願請求項１記載の発明では、床の開口に取り付けられ前記開口と連通する開口部が設けられた枠体と、モジュラプラグが挿入されるプラグ挿入口を前表面に有するコネクタ部と、枠体の開口部からコネクタ部のプラグ挿入口を床の表面側に露出させる露出状態とコネクタ部を床の裏面側に収納する収納状態とを選択自在として枠体に取り付けられた可動部とを備える床取付型情報コンセントにおいて、コネクタ部の前表面の上端部には枠体に係止して収納状態を保持する係止部が設けられており、前記前表面における係止部よりも下側においては凹段部が設けられており、凹段部の内底面は露出状態において前記前表面よりも緩く傾斜しており、前記内低面に直交してプラグ挿入口が設けられていることを特徴としている。
【０００８】
又、本願請求項２記載の発明では、上記請求項１記載の床取付情報コンセントにおいて、コネクタ部は外殻部と外殻部に挿入されたコネクタブロックとで構成されており、前記前表面の一部であるコネクタブロックの前面に前記凹段部が設けられていることを特徴としている。
【発明の効果】
【０００９】
本願請求項１記載の床取付型情報コンセントにおいては、プラグ挿入口が設けられた凹段部の内底面は露出状態において前表面よりも緩く傾斜しているため、前表面にプラグ挿入口が設けられている場合に比べて、プラグ挿入口へのモジュラプラグの差し込み及び抜き取りが容易になるものである。
【００１０】
又、本願請求項２記載の床取付型情報コンセントにおいては、外殻部の形状については特別な制約を受けることはなく、前面が段差のない平面形状となる単純な形の外殻部を用いることができるため、外殻部の前表面にも凹段部を形成する場合に比べてコストを抑えることができる。更に、例えば背景技術（図１７）に示したような床取付型情報コンセントを従来品として製造していた場合においては、外殻部の形状を変える必要がなく、コネクタブロックの前面の形状のみを変えるだけで、モジュラプラグの差し込み及び抜き取りが容易になる床取付型情報コンセントとなる。
【発明を実施するための最良の形態】
【００１１】
以下に本願発明の第一の実施形態を図１〜図１５を参照して説明する。この床取付型情報コンセントは、床の開口に固定されるアルミダイカスト製のフロアプレート（枠体）１と、モジュラプラグが着脱自在に接続されるコネクタブロック４及びコネクタブロック４が挿入されるアルミダイカスト製の外殻部２ｂからなるコンセント本体（コネクタ部）２と、フロアプレート１の開口７からコンセント本体２を床の表面側に露出させる露出状態と、コンセント本体２を床の裏面側に収納する収納状態とを選択自在としてフロアプレート１に回動自在に取り付けられたアルミダイカスト製の回動部（可動部）２６と、フロアプレート１に固定され外部からの電線が電気的に接続される端子台ブロック５と、導体が撚り線で構成された２本の心線２３ａを互いにねじり合わせて形成されたツイストペア線２３を複数本（本実施形態では例えば４本）有し、コネクタブロック４と端子台ブロック５との間を電気的に接続するリード線ブロック６とを備えている。なお、以下の説明では上下、前後、左右は、説明を容易にするために、コネクタブロック４が床の裏面側に収納された状態で、コネクタブロック４のプラグ挿入口２０ａを正面側から見て、フロアプレート１側を上として説明する。
【００１２】
フロアプレート１は上面が円形であって、上面略中央に一段低くなった凹所８が形成されており、凹所８の底にはフロアプレート１の表裏を貫通する略矩形状の開口７が形成されている。フロアプレート１の裏面には、端子台ブロック５をフロアプレート１に固定するための固定台１０が取り付けられている。固定台１０は、端子台ブロック５が固定される矩形板状の固定片１０ａと、固定片１０ａの両側縁からそれぞれ連続一体に形成されフロアプレート１の裏面に固定される支持片１０ｂ，１０ｂとで構成される。支持片１０ｂは断面略Ｌ字状であって、図１２及び図１３に示すように、支持片１０ｂの一方の側片を固定ねじ１１でフロアプレート１の裏面にねじ止めするとともに、この側片に設けたかしめ孔１０ｃとフロアプレート１裏面の突起１ａとをかしめることによって、固定台１０がフロアプレート１に固定されている。ここで、フロアプレート１は、床材に設けた開口内にコンセント本体２を収納した状態で、取付金具１２を用いて床材に取り付けられる。すなわち、フロアプレート１の凹所８に設けた貫通孔１３に通した固定ねじ１４を、取付金具１２に設けた長孔１２ａ内に挿通して、ナット１５に螺入すると、フロアプレート１の裏面と取付金具１２との間で床材が挟持され、フロアプレート１が床材に固定されるのである。
【００１３】
コネクタブロック４は１０ＢＡＳＥ−Ｔや１００ＢＡＳＥ−Ｔなどに用いられるＲＪ−４５雄コネクタが接続されるように構成されており、「カテゴリ５」のコネクタとして機能する。コネクタブロック４の器体１６は、例えばＡＢＳ樹脂のような熱可塑性樹脂から形成されたボディ１７とカバー１８とをねじ１９で結合することにより形成され、器体１６の内部にはモジュラジャック２０が収納されている。モジュラジャック２０の前面にはモジュラプラグ（図示せず）が挿入されるプラグ挿入口２０ａが開口しており、プラグ挿入口２０ａの内部にはモジュラプラグの接触子に電気的に接続される複数（例えば８本）のコンタクトピン２０ｂが一列に配列されている。そして、モジュラジャック２０はプラグ挿入口２０ａをボディ１７の前面に設けた開口孔１７ａから露出させるようにして器体１６内部に収納される。なお、モジュラプラグの弾性レバーが収まるレバー収納部２０ｃは、プラグ挿入口における下側に設けられており、弾性レバーを下向きの状態にしてモジュラプラグを取り付けることで、誤ってモジュラプラグを踏んでしまう場合等に備えて、比較的壊れやすい弾性レバーを保護している。
【００１４】
外殻部２ｂは角筒状であって、前面から下面を通って後面に至る部位に開口が形成されており、上端部にはコネクタブロック４を床の裏面側に収納する際にフロアプレート１に設けた凹所８を遮蔽する蓋体２ａが一体に形成されている。外殻部２ｂの内部には、下面に設けた開口から通信コネクタ３のコネクタブロック４が挿入され、前面に設けた開口からモジュラジャック２０のプラグ挿入口２０ａを露出させた状態でコネクタブロック４が保持される。
【００１５】
次に本発明の重要な特徴であるコンセント本体２の前表面２ｃの形状について説明する。図１、２に示すように、略面一となる外殻部２ｂの前面とコネクタブロックの前面とからコンセント本体２の前表面２ｃが形成されており、前表面２ｃの上端側における外殻部２ｂの前面には係止凹部（係止部）が設けられている。また、コネクタブロックの前面には上側に向かうほど連続して深くなるように凹段部４ａが設けられている。凹段部４ａの内底面４ｂは露出状態において前表面２ｃよりも緩く傾斜しており、モジュラジャックのプラグ挿入口２０ａは凹段部４ａの内底面４ｂに直交して設けられている。この実施形態の床取付型コンセントでは、露出状態において前表面２ｃは床の水平面に対して約４５度傾斜した状態で固定されており、凹段部４ａの内底面４ｂは前表面２ｃに対して約１０度緩く傾斜している。ただし、前表面２ｃの傾斜角及び凹段部４ａ底面の傾斜角は上記の角度に限定されるものではない。
【００１６】
またフロアプレート１の裏面には、回動軸２５を中心として回動自在に回動する回動体２６が取り付けられている。回動体２６は、コンセント本体２が固定される矩形板状の固定片２６ａと、固定片２６ａの両側縁からそれぞれ連続一体に形成されフロアプレート１に設けた回動軸２５にそれぞれ軸支される側片２６ｂとで断面略コ字状に形成されており、固定片２６ａにコンセント本体２が固定されているので、コンセント本体２は回動体２６とともに回動軸２５を中心として回動するようになっている。
【００１７】
ここで、回動体２６はばね体２７によってコンセント本体２を開口７から上方へ突出させる方向にばね付勢されている。また、回動体２６の固定片２６ａ前端縁からは斜め下方に突出する断面Ｌ字状の係止爪２６ｃが固定片２６ａと一体に形成されており、フロアプレート１の開口７からコネクタブロック４を床の表面側に露出させた状態で係止爪２６ｃがフロアプレート１の背面と係止し、回動体２６が一定範囲を越えて上方へ回動するのを阻止してある。
【００１８】
また、フロアプレート１の裏面には、収納状態で係止凹部２８に対応する部位に収納凹部２９が形成されている。この収納凹部２９内には開口７内に進退自在に突出するロック片３０が配置されており、固定ねじ３１，３１を用いてフロアプレート１裏面にねじ止めされた支え板３２によりロック片３０は収納凹部２９内に保持されている。また、フロアプレート１の表面には収納凹部２９と連通する凹所３３が設けられており、この凹所３３にはロック片３０に皿ねじ３４により結合された操作レバー３５が配置されている。ここで、ロック片３０は圧縮コイルばね３６によって開口７側に付勢されており、ロック片３０は開口７内に突出した状態で保持される。なお、操作レバー３５の表面には滑り止めのための凹溝３５ａが操作レバー３５の操作方向と略直交する方向に形成されている。
【００１９】
コンセント本体２が床の裏面側（床下）に収納された状態では、外殻部２ｂに設けた係止凹部２８内にロック片３０が入り込み、ロック片３０と係止凹部２８とが係止し、コンセント本体２はコネクタブロック４を床下に収納した状態で保持される。ここで、操作レバー３５を開口７から遠ざかる向きに操作すると、ロック片３０と外殻部２ｂの係止凹部２８との係止状態が解除され、ばね体２７のばね力によってコンセント本体２は回動軸２５を中心として図３（ａ）中反時計回りに回転する。そして、回動体２６の固定片２６ａに設けた係止爪２６ｃがフロアプレート１の裏面に接触するまでコンセント本体２が回転すると、固定片２６ａの裏面とロック片３０とが係止して、コンセント本体２を床面から上方に突出させた状態でコンセント本体２が保持される。
【００２０】
一方、コンセント本体２が開口７から上方に突出した状態で、操作レバー３５を開口７から遠ざかる向きに操作して、固定片２６ａ裏面とロック片３０との係止状態を解除し、ばね体２７のばね力に抗してコンセント本体２を上方から押し込むと、ロック片３０と外殻部２ｂの係止凹部２８とが係止し、コネクタブロック４が床下に収納された状態でコンセント本体２が保持される。この時、蓋体２ａによってフロアプレート１の開口７が塞がれ、蓋体２ａの表面はフロアプレート１の前面と略面一となっているので、蓋体２ａとフロアプレート１との境目で躓いたりすることはない。尚、フロアプレート１裏面の外周部と、凹所８における開口７の周りの部位とには、それぞれパッキン１６ａ，１６ｂが貼り付けられており、フロアプレート１と床材との間の隙間や、フロアプレート１と蓋体２ａとの間の隙間から水などが浸入するのを防止している。
【００２１】
次に、コネクタブロック４と端子台ブロック５とリード線ブロック６とで構成される通信コネクタ３について図９及び図１０を参照して簡単に説明する。
【００２２】
リード線ブロック６は複数本（例えば４本）のツイストペア線２３で構成される。ツイストペア線２３は、図１１に示すように、軟銅集合より線からなる導体２３ｂを軟質塩化ビニル樹脂からなる絶縁体２３ｃで覆った２本の心線２３ａを互いにねじり合わせ、外側をポリエチレンのような絶縁体からなるシース２３ｄで覆うことによって形成される。ここで、４本のツイストペア線２３はシリコンゴムからなる厚みが約１ｍｍの保護チューブ２４内にまとめて挿通されており、コネクタブロック４が移動する際にツイストペア線２３が他の部材と摺れて、シース２３ｄが破れたり断線するのを防止している。
【００２３】
ここで、プラグ挿入口２０ａの内部に配列された８本のコンタクトピン２０ｂのピン配列は、図９（ｃ）中の左端を１番ピンとし、左端から番号の若い順番に１番ピンから８番ピンまでのコンタクトピン２０ｂが配列されている。そして、６番ピンと３番ピン、１番ピンと２番ピン、４番ピンと５番ピン、７番ピンと８番ピンのコンタクトピン２０ｂが同じ対となり、それぞれ同じツイストペア線２３の心線２３ａに電気的に接続されている。尚、実験を行った結果、各ツイストペア線２３毎に心線２３をねじり合わせるピッチ（以下、撚りピッチと言う。）を異ならせると、漏話が低減することが判明し、本実施形態では、例えば６，３対のツイストペア線２３の撚りピッチを約１６ｍｍ、１，２対のツイストペア線２３の撚りピッチを約１４ｍｍ、４，５対のツイストペア線２３の撚りピッチを約２０ｍｍ、８，７対のツイストペア線２３の撚りピッチを約１８ｍｍとしている。
【００２４】
一方、端子台ブロック５は例えばポリカーボネイト樹脂のような熱可塑性樹脂により形成されたケース２１を備えている。ケース２１の内部には従来周知の構成を有するＩＤＣ端子（接続端子）２２が複数個（例えば８個）一列に配置されており、各ＩＤＣ端子２２はツイストペア線２３を介してモジュラジャック２０のコンタクトピン２０ｂに電気的に接続されている。そして、ケース２１の内部には、図９（ｂ）中の上側から順番に６番ピン、３番ピン、２番ピン、１番ピン、４番ピン、５番ピン、８番ピン、７番ピンのコンタクトピン２０ｂにそれぞれ電気的に接続されたＩＤＣ端子２２が配列されている。すなわち、３，６対のツイストペア線２３に接続されるＩＤＣ端子２２と、１，２対のツイストペア線２３に接続されるＩＤＣ端子２２と、４，５対のツイストペア線２３に接続されるＩＤＣ端子２２と、７，８対のツイストペア線２３に接続されるＩＤＣ端子２２とがそれぞれ隣接して配列されている。
【００２５】
なおＩＤＣ端子２２はフォーク状に形成され、一対の刃が互いに対向して配置された圧接スリットを有する圧接形のものであって、圧接スリットの幅は接続する電線の芯線に圧接スリットの両側縁が圧接する程度に設定されている。各ＩＤＣ端子２２の圧接スリットと対向するケース２１の部位には切り溝２１ａがそれぞれ形成されており、この切り溝２１ａを通して絶縁被覆を有する電線をＩＤＣ端子２２の圧接スリットに圧入すると、電線の絶縁被覆を圧接スリットの両側縁で切ることにより絶縁被覆を剥ぎながら圧接スリットの中に芯線を導入し、圧接スリットの両側縁間に芯線を挟持するようになっている。尚、ＩＤＣ端子２２の先端と対向するケース２１の一端部には後述する端子カバー２１ｂが着脱自在に取り付けられ、端子カバー２１ｂを取り外した状態でＩＤＣ端子２２に電線を接続し、電線の接続作業が終了すれば、ケース２１の先端に端子カバー２１ｂを取り付けて、電線の接続部を保護するようになっている。
【００２６】
また、端子台ブロック５のケース２１には、端子台ブロック５に接続されたリード線ブロック６を保護するために樹脂成型品からなるカバー９が取り付けられる。カバー９は、断面円弧状に形成されコンセント本体２の後面を覆う主部９ａと、主部９ａの左右両側縁から前方に突出しコンセント本体２の側面を覆う側片９ｂ，９ｂと、主部９ａの下側縁から斜め下方に突出し端子台ブロック５のケース２１下面を覆う端子台保護部９ｃとを連続一体に形成して構成され、側片９ｂに設けた係合爪９ｄと、端子台ブロック５のケース２１に設けた孔２１ｃとを係合させることによってケース２１に固定される。この時、カバー９の側片９ｂ上端部に設けた凹所９ｅとフロアプレート１の下面に突設された突起１ｂとが係止することにより、カバー９の位置決めが行われる。尚、端子台保護部９ｃには各ＩＤＣ端子２２の端子番号や接続される電線の被覆の色が印刷されたラベル４４を貼り付けてある。
【００２７】
ここで、端子台ブロック５のＩＤＣ端子２２に床の裏面側に予め先行配線された電線を接続する際は、図１４（ａ）に示すように、ケース２１に取り付けられた端子カバー２１ｂを外し、カバー９に設けられた電線固定片９ｆに電線４０を保持させた後、電線４０の心線４１をケース２１の切り溝２１ａ内に配置して、心線４１を端子台ブロック５に仮止めする。そして、図１４（ｂ）に示すように、インパクトツールなどの工具４２を用いて電線４０の心線４１をケース２１内に配置されたＩＤＣ端子２２に成端し、端子カバー２１ｂをケース２１に取り付けて、電線４０の心線４１とＩＤＣ端子２２との接続部位を保護する。
【００２８】
ところで、上述の実施形態ではフロアプレート１として上面が円形に形成されたものを用いているが、フロアプレート１の形状を上記の形状に限定する趣旨のものではなく、図１５に示すように、フロアプレート１として上面が角形に形成されたものを用いても良い。この床取付型情報コンセントでは、フロアプレート１の前面略中央に略矩形状の凹所８を形成しており、凹所８の形状に合わせて蓋体２ａの形状を略矩形状に形成している。尚、フロアプレート１及び蓋体２ａの形状が異なる点を除いては上述した床取付型情報コンセントと同じ構成であるので、同一の構成要素には同一の符号を付して、その説明は省略する。
【００２９】
したがって、この実施形態の床取付型情報コンセントにおいては、プラグ挿入口２０ａが設けられた凹段部４ａの内底面４ｂは露出状態において前表面２ｃよりも緩く傾斜しているため、例えレバー収納部２０ｃがプラグ挿入口２０ａにおける下側に設けられていたとしても、前表面２ｃにプラグ挿入口２０ａが設けられている場合に比べて、プラグ挿入口２０ａへのモジュラプラグの差し込み及び抜き取りが容易になるものである。
【００３０】
また、外殻部２ｂの形状については特別な制約を受けることはなく、前面が段差のない平面形状となる単純な形の外殻部２ｂを用いることができるため、外殻部２ｂの前表面２ｃに凹段部４ａを形成する場合に比べてコストを抑えることができる。更に、例えば特開２００２−１６４１２９号公報に示したような床取付型情報コンセント（図１７）を従来品として製造していた場合においては、外殻部２ｂの形状を変える必要がなく、コネクタブロックの前面の形状のみを変えるだけで上記の効果を達成することが可能となる。
【００３１】
図１６は、本発明の第二の実施形態である床取付型情報コンセントを示している。なお、ここでは、上記第一の実施形態と相違する事項についてのみ説明し、その他の事項（構成、作用効果等）については、上記第一の実施形態と同様であるのでその説明を省略する。この床取付型情報コンセントは、前表面２ｃの上端における係止凹部の周囲を残して他の部分が凹んだ凹段部４ａが形成されおり、この凹段部４ａは前表面２ｃの上側に向かうほど連続して深くなるように凹んだ形状になっている。
【００３２】
したがって、この実施形態の床取付型情報コンセントにおいては、露出状態において、プラグ挿入口２０ａが設けられた凹段部４ａの内底面４ｂは、前表面２ｃよりも緩く傾斜しているため、前表面２ｃにプラグ挿入口２０ａが設けられている場合に比べて、プラグ挿入口２０ａへのモジュラプラグの差し込み及び抜き取りが容易になるものである。
【００３３】
なお、この実施形態の床取付型情報コンセントにおいて、コンセント本体２は外殻部２ｂとコネクタブロック４とが別体となって形成されているが、両者が一体となってコンセント本体２を形成していてもよい。ただし、この場合は請求項２記載の効果は奏さない。
【図面の簡単な説明】
【００３４】
【図１】本願発明の第一の実施形態である床取付型情報コンセントを示す一部破断せる正面図である。
【図２】同上の斜めから見た斜視図である。
【図３】同上を示し、（ａ）は左側から見た一部破断せる側面図、（ｂ）は上面図、（ｃ）は背面図である。
【図４】同上の右側から見た側面図である。
【図５】同上の一部破断せる下面図である。
【図６】同上の要部拡大図である。
【図７】同上の要部拡大図である。
【図８】同上の要部拡大図である。
【図９】同上に用いる通信コネクタを示し、（ａ）は一部破断せる側面図、（ｂ）は上面図、（ｃ）は正面図である。
【図１０】同上に用いる通信コネクタの一部省略せる上面図である。
【図１１】同上に用いるツイストペア線の断面図である。
【図１２】同上に用いる別の通信コネクタを示し、（ａ）は一部破断せる側面図、（ｂ）は上面図、（ｃ）は正面図である。
【図１３】同上に用いる別の通信コネクタの一部省略せる上面図である。
【図１４】（ａ）（ｂ）は端子台ブロックへの電線の接続方法を説明する説明図である。
【図１５】同上の別の床取付型情報コンセントを示す一部破断せる正面図である。
【図１６】本願発明の第二の実施形態である床取付型情報コンセントを示す斜視図である。
【図１７】従来の床取付型情報コンセントを示す一部破断せる正面図である。
【符号の説明】
【００３５】
１  フロアプレート
２  コンセント本体
２ａ  蓋体
２ｃ  外殻部
４  コネクタブロック
４ａ  凹段部
４ｂ  内底面
２０ａ  プラグ挿入口
【図１】
2008098015.tif 000003
【図２】
2008098015.tif 000004
【図３】
2008098015.tif 000005
【図４】
2008098015.tif 000006
【図５】
2008098015.tif 000007
【図６】
2008098015.tif 000008
【図７】
2008098015.tif 000009
【図８】
2008098015.tif 000010
【図９】
2008098015.tif 000011
【図１０】
2008098015.tif 000012
【図１１】
2008098015.tif 000013
【図１２】
2008098015.tif 000014
【図１３】
2008098015.tif 000015
【図１４】
2008098015.tif 000016
【図１５】
2008098015.tif 000017
【図１６】
2008098015.tif 000018
【図１７】
2008098015.tif 000019